(57)【要約】【課題】  目元を覆いつつ呼吸を楽にすることができるブランケットを提供する。【解決手段】  使用者を覆うためのブランケット本体と、ブランケット本体を、使用者の顔を覆った際に、その使用者の口に対応する位置に配置した、その口への呼吸を確保することができる口通気部と、ブランケット本体を、その使用者の鼻に対応する位置に配置した、その鼻への呼吸を確保することができる鼻通気部と、を有するブランケットである。【選択図】            図１
0003214898.tif 000002
【実用新案登録請求の範囲】
【請求項１】
使用者を覆うためのブランケット本体と、
前記ブランケット本体を、使用者の顔を覆った際に、その使用者の口に対応する位置に配置した、その口への呼吸を確保することができる口通気部と、
前記ブランケット本体を、その使用者の鼻に対応する位置に配置した、その鼻への呼吸を確保することができる鼻通気部と、を有するブランケット。
【請求項２】
前記口通気部は、前記ブランケット本体に孔をあけた状態を呈する第１開口部と、
前記鼻通気部は、前記ブランケット本体に孔をあけた状態を呈する第２開口部と、さらに有する請求項１記載のブランケット。
【請求項３】
前記ブランケット本体を使用者の顔を覆った際に、使用者の両耳に対応する位置にその使用者の両耳に掛けるための耳対応部を有し、前記耳対応部は、前記ブランケット本体に孔をあけた状態を呈する第３開口部を具備する請求項１または２記載のブランケット。
【請求項４】
前記第１開口部の周囲を縁取る第１縁部と、前記第２開口部の周囲を縁取る第２縁部と、を具備する請求項１から３いずれか１項記載のブランケット。
【請求項５】
前記第３開口部の周囲を縁取る第３縁部と、をさらに具備する請求項３または４記載のブランケット。
【考案の詳細な説明】
【技術分野】
【０００１】
本考案は、ブランケットに関するものであり、特に、そのブランケットを、顔に被せた場合であっても、息苦しさを感じさせないブランケットに関するものである。
【背景技術】
【０００２】
外出時において、仮眠を採る際にアイマスクが使用されている。これは、目元にかけることによりまぶしさを軽減するものとして使用されている。しかしながら、これでは、睡眠している顔を第三者に見られてしまうという問題がある。
【０００３】
これを解決するものとしてたとえば、実用新案登録第３１２５９８２号公報において、目を覆う第１の布と、目から口までを覆う第２の布と、耳かけと、を備え、前記第１の布及び前記第２の布は、互いの上部を合わせた状態で上部及び両側部が縫合されて、前記第１の布の下部を開口とする収納部が形成され、前記第２の布の口を覆う部分は、前記第１の布側に折り返して前記収納部に収納可能となることを特徴とするアイマスクが開示されている。
【０００４】
上記アイマスクは、目元を覆うことができるアイマスクであり、第三者に寝顔を見られないという効果を奏するものであるが、鼻と口元を覆うことになり、呼吸が不十分である可能性がある。
【０００５】
一方で、飛行機等で仮眠する際にブランケットを供給される場合がある。この場合に上記アイマスクと併用することで寝顔を見られないようにすることができる。しかしながら、アイマスクの用意がない場合があり、その場合にアイマスクを別に持ち歩かなくてはならずきわめて不便である。
【先行技術文献】
【特許文献】
【０００６】
【特許文献１】実用新案登録第３１２５９８２号公報
【考案の概要】
【考案が解決しようとする課題】
【０００７】
本考案は前記の実情に鑑みてなされたもので、その課題は、目元を覆いつつ呼吸を楽にすることができるブランケットを提供することである。
【課題を解決するための手段】
【０００８】
第１観点におけるブランケットは、使用者を覆うためのブランケット本体と、
前記ブランケット本体を、使用者の顔を覆った際に、その使用者の口に対応する位置に配置した、その口への呼吸を確保することができる口通気部と、
前記ブランケット本体を、その使用者の鼻に対応する位置に配置した、その鼻への呼吸を確保することができる鼻通気部と、を有するものである。
【０００９】
第２観点におけるブランケットは、第１観点において、口通気部は、ブランケット本体に孔をあけた状態を呈する第１開口部と、鼻通気部は、ブランケット本体に孔をあけた状態を呈する第２開口部と、をさらに有するものである。
【００１０】
第３観点におけるブランケットは、第１観点または第２観点において、ブランケット本体を使用者の顔を覆った際に、使用者の両耳に対応する位置にその使用者の両耳に掛けるための耳対応部を有し、耳対応部は、ブランケット本体に孔をあけた状態を呈するというものである。
【００１１】
第４観点におけるブランケットは、第１観点から第３観点において、第１開口部の周囲を縁取る第１縁部と、第２開口部の周囲を縁取る第２縁部と、を具備するというものである。
【００１２】
第５観点におけるブランケットは、第３観点または第４観点において、第３開口部の周囲を縁取る第３縁部と、をさらに具備するというものである。
【考案の効果】
【００１３】
本考案は以上のように構成され、かつ、作用するものであるから、目元を覆いつつ呼吸を楽にすることができるブランケットを提供することができる。
【図面の簡単な説明】
【００１４】
【図１】ブランケットの平面図である。
【図２】ブランケットの裏面図である。
【図３】ブランケットを使用者に被せた使用状態図である。
【考案を実施するための形態】
【００１５】
以下図示の実施形態を参照して本実施例におけるブランケット１０について説明する。ブランケット１０は、肌掛け、毛布、タオルケット類に属するもので、後述する使用者１００が、仮眠あるいは睡眠する際に顔や体を覆うように使用するものである。
【００１６】
ブランケット１０は、使用者１００を覆うためのブランケット本体１１と、本体縁部１２とを有している。本体縁部１２は、ブランケット本体１１の周囲を囲むように、ブランケット本体１１を折り返して縫製されている。ブランケット１０は上記のとおり、毛布生地、タオルケット生地を使用することができるので本体縁部１２によって、ブランケット本体１１の周囲のほつれを防止することができる。
【００１７】
後述するように、使用者１００の顔を覆った際に、その使用者１００の口に対応する位置に配置した、その口１０１への呼吸を確保することができる口通気部２０をブランケット本体１１に有している。口通気部２０は、図示しないが、たとえばメッシュ状の布類、あるいは透湿性素材、ガーゼ類などを使用して使用者１００の口１０１への通気を確保しても好ましい。なお、本実施例においては、その口１０１に対応する位置に配置した口通気部２０に、通気孔としてそのブランケット本体１１に孔をあけた状態を呈する第１開口部２１を有している。なお、口通気部２０は、ブランケット１０の左右方向Ｈのほぼ中心に位置し、使用者１００が顔にこのブランケット１０を覆ったときに使用者１００の口１０１と相対する位置に配置している。従って本実施例においては図１及び図２において上端部分に配置することができるが、これに限られることはない。
【００１８】
また、その第１開口部２１の周囲を取り囲むように、第１縁部２２を有している。その第１開口部２１の周囲のほつれを防止すると共に使用者１００の口１０１周りに対するあたりを和らげるためである。第１開口部２１は、使用者１００の口１０１の動きに対応するために、角部を丸めた逆三角形状を呈することができる。
【００１９】
また、使用者１００の顔を覆った際に、その使用者１００の鼻１０２に対応する位置に配置した、その鼻１０２への呼吸を確保することができる鼻通気部３０をブランケット本体１１に有している。鼻通気部３０は、図示しないが、たとえばメッシュ状の布類、あるいは透湿性素材、ガーゼ類などを使用して使用者１００の鼻１０２への通気を確保しても好ましい。なお、本実施例においては、その鼻１０２に対応する鼻通気部３０に、通気孔としてそのブランケット本体１１に孔をあけた状態を呈する第２開口部３１を有している。なお、鼻通気部３０は、ブランケット１０の左右方向Ｈのほぼ中心に位置し、使用者１００が顔にこのブランケット１０を覆ったときに使用者１００の鼻１０２と相対する位置に配置している。従って、本実施例においては図１及び図２において上端部分に配置することができるが、これに限られることはない。
【００２０】
また、その第２開口部３１の周囲を取り囲むように、第２縁部３２を有している。第２縁部３２は、その第２開口部３１の周囲のほつれを防止すると共に使用者１００の鼻１０２周りに対するあたりを和らげるためである。第２開口部３１は、使用者１００の鼻１０２に対応するために、角部を丸めた三角形状を呈することができる。なお、第１開口部２１の上方に第２開口部３１を有している。
【００２１】
使用者１００の顔を覆った際に、使用者１００の両耳１０３、１０３に、引っ掛けて、ブランケット１０を使用者１００に取り付けるために、ブランケット本体１１におけるその使用者１００の両耳１０３、１０３に対応する位置に耳対応部４０、４０を有する。耳対応部４０、４０は、ブランケット１０の左右方向Ｈのほぼ中心から左右方向に一定の位置に配置されている。耳対応部４０、４０は図示しないが、環状を呈し、ひも状のものを使用者１００の両耳１０３、１０３に、引っ掛けても好ましい。
【００２２】
また、本実施例においては、耳対応部４０、４０は、ブランケット１０において、その使用者１００の顔を覆った際に、使用者１００の両耳１０３、１０３をブランケット１００から露出させるために穴を開けた第３開口部４１、４１を有する。第３開口部４１、４１から使用者の１００の両耳１０３、１０３を露出するように取り出すことで、使用者１００の両耳１０３、１０３を、その第３開口部４１、４１に引っ掛けるようにすることができ、そのブランケット１０を使用者１００に取り付けることができる。
【００２３】
また、その第３開口部４１、４１の周囲をそれぞれ取り囲むように、第３縁部４２、４２を有している。第３縁部４２、４２は、第３開口部４１、４１の周囲のほつれを防止すると共に使用者１００耳を掛けたときにそのあたりを和らげるためである。第３開口部４１、４１は、使用者１００の耳１０３の形状に倣うように楕円形状を呈することができる。
【００２４】
なお、ここで一定の位置とは、上記のとおり、ブランケット１０を使用者１００の顔を覆った際に口１０１に対応する位置に配置した口通気部２０に第１開口部２１を有することが好ましい。また、第１開口部２１の位置から、一般的に使用者１００の口１０１と耳１０３の位置は、１０から１５センチメートル程度離れているので、その位置に第３開口部４１、４１をそれぞれ配置することができる。また、一般的に使用者１００の口１０１と鼻１０２の位置は、１から３センチメートル程度離れているので、その位置に第２開口部３１を配置することができる。
【００２５】
本実施例のブランケット１０の使用方法としては、使用者１００の顔にブランケット１０を掛け、使用者１００の口１０１と鼻１０２と、をそれぞれ口通気部２０に配置した第１開口部２１と、鼻通気部３０に配置した第２開口部３１から露出させる。このように、使用者１００の顔にブランケット１０を配置した後に使用者１００の両耳１０３、１０３を耳対応部４０、４０における第３開口部４１、４１に引っ掛けるようにする。すなわち、第３開口部４１、４１から使用者１００の両耳１０３、１０３を上記のとおり露出させることで、使用者１００に対してブランケット１０を取り付けることができる。また、使用者１００の目元を露出させないように構成することができるので、睡眠を妨げられることを極力避けることができる。
【００２６】
このように休憩や仮眠、マッサージ中、飛行機等乗り物での仮眠等において、ブランケット１０を用いることで、使用者１００が他人に寝顔を見られることへの羞恥を防ぎ、安眠を得ることができる。なお、ブランケット１０のサイズは幅８０センチメートル、縦１２０センチメートルが好ましい。また、幅１４０センチメートル、縦１００センチメートル、また、幅１４０センチメートル、縦２００センチメートルが好ましいが、これに限られることはない。
【符号の説明】
【００２７】
１０  ブランケット
１１  ブランケット本体
１２  本体縁部
２０  口通気部
２１  第１開口部
２２  第１縁部
３０  鼻通気部
３１  第２開口部
３２  第２縁部
４０  耳対応部
４１  第３開口部
４２  第３縁部
【図１】
0003214898.tif 000003
【図２】
0003214898.tif 000004
【図３】
0003214898.tif 000005
【手続補正書】
【提出日】平成29年12月15日(2017.12.15)
【手続補正１】
【補正対象書類名】実用新案登録請求の範囲
【補正対象項目名】全文
【補正方法】変更
【補正の内容】
【実用新案登録請求の範囲】
【請求項１】
使用者を覆うためのブランケット本体と、
前記ブランケット本体を、使用者の顔を覆った際に、その使用者の口に対応する位置に配置した、その口への呼吸を確保することができる口通気部と、
前記ブランケット本体を、その使用者の鼻に対応する位置に配置した、その鼻への呼吸を確保することができる鼻通気部と、を有するブランケット。
【請求項２】
前記口通気部は、前記ブランケット本体に孔をあけた状態を呈する第１開口部と、
前記鼻通気部は、前記ブランケット本体に孔をあけた状態を呈する第２開口部と、さらに有する請求項１記載のブランケット。
【請求項３】
前記ブランケット本体を使用者の顔を覆った際に、使用者の両耳に対応する位置にその使用者の両耳に掛けるための耳対応部を有し、前記耳対応部は、前記ブランケット本体に孔をあけた状態を呈する第３開口部を具備する請求項１または２記載のブランケット。
【請求項４】
前記第１開口部の周囲を縁取る第１縁部と、前記第２開口部の周囲を縁取る第２縁部と、を具備する請求項２記載のブランケット。
【請求項５】
前記第３開口部の周囲を縁取る第３縁部と、をさらに具備する請求項３記載のブランケット。